(57)【特許請求の範囲】
【請求項１】
任意の周波数かつ任意の位相のドットクロックを用いて、画像信号をサンプリングする第１工程と、
所定期間内において、サンプリングした画像信号の隣接画素間の変化量を検出し、該検出結果に基づき前記画像信号の第１の特徴量を得る第２工程と、
前記第１、第２工程を前記ドットクロックの位相を変えて繰り返す第３工程と、
前記第３工程で得られた第１の特徴量に基づき、サンプリングに用いたドットクロックの周波数が正しいか否かを判断する第４工程とを備え、
検出した変化量の最大値あるいは最小値を第１の特徴量とする画像表示装置のドットクロック調整方法。
【請求項２】
任意の周波数かつ任意の位相のドットクロックを用いて、画像信号をサンプリングする第１工程と、
所定期間内において、サンプリングした画像信号の隣接画素間の変化量を検出し、該検出結果に基づき前記画像信号の第１の特徴量を得る第２工程と、
前記第１、第２工程を前記ドットクロックの位相を変えて繰り返す第３工程と、
前記第３工程で得られた第１の特徴量に基づき、サンプリングに用いたドットクロックの周波数が正しいか否かを判断する第４工程とを備え、
検出した変化量の度数分布を第１の特徴量とする画像表示装置のドットクロック調整方法。
【請求項３】
任意の周波数かつ任意の位相のドットクロックを用いて、画像信号をサンプリングする第１工程と、
所定期間内において、サンプリングした画像信号の隣接画素間の変化量を検出し、該検出結果に基づき前記画像信号の第１の特徴量を得る第２工程と、
前記第１、第２工程を前記ドットクロックの位相を変えて繰り返す第３工程と、
前記第３工程で得られた第１の特徴量に基づき、サンプリングに用いたドットクロックの周波数が正しいか否かを判断する第４工程とを備え、
検出した変化量の最大値あるいは最小値と、該最大値付近あるいは最小値付近の度数とを第１の特徴量とする画像表示装置のドットクロック調整方法。
【請求項４】
前記第１の特徴量が位相の変化に対して極値を有する場合にドットクロックの周波数が正しいと判断し、前記第１の特徴量が位相の変化に対してほぼ一定値を示す場合にドットクロックの周波数が誤っていると判断する請求項１記載の画像表示装置のドットクロック調整方法。
【請求項５】
前記度数分布の状態変化が位相の変化に対してあるレベルを超える場合にはドットクロックの周波数が正しいと判断し、前記状態変化が位相の変化に対して前記レベル以下である場合にはドットクロックの周波数が誤っていると判断する請求項２記載の画像表示装置のドットクロック調整方法。
【請求項６】
前記最大値あるいは最小値と、該最大値付近あるいは最小値付近の度数との比率が位相の変化に対してあるレベルを超えて変化する場合にはドットクロックの周波数が正しいと判断し、前記比率の変化が位相の変化に対して前記レベル以下である場合にはドットクロックの周波数が誤っていると判断する請求項３記載の画像表示装置のドットクロック調整方法。
【請求項７】
前記第１の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする請求項１記載の画像表示装置のドットクロック調整方法。
【請求項８】
任意の周波数かつ任意の位相のドットクロックを用いて、画像信号をサンプリングする第１工程と、
所定期間内において、サンプリングした画像信号の隣接画素間の変化量を検出し、該検出結果に基づき前記画像信号の第１の特徴量を得る第２工程と、
前記第１、第２工程を前記ドットクロックの位相を変えて繰り返す第３工程と、
前記第３工程で得られた第１の特徴量に基づき、サンプリングに用いたドットクロックの周波数が正しいか否かを判断する第４工程とを備え、
画像信号の特定の位置を指定し、該特定の位置における隣接画素間の変化量を検出し、該検出結果を画像信号の第２の特徴量とする第５工程と、前記第１、第５工程を前記ドットクロックの位相を変えて繰り返す第６工程と、前記第６工程で得られた第２の特徴量に基づき、ドットクロックの位相を調整する第７工程とを更に備える画像表示装置のドットクロック調整方法。
【請求項９】
前記特定の位置は、隣接画素間の変化量が最大あるいは最小となる位置である請求項８記載の画像表示装置のドットクロック調整方法。
【請求項１０】
前記第２の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする請求項８記載の画像表示装置のドットクロック調整方法。
【請求項１１】
任意の周波数かつ任意の位相のドットクロックを用いて、入力した画像信号をサンプリングするサンプリング手段と、
所定期間内において、サンプリングした画像信号の隣接画素間の変化量を検出し、検出した変化量に基づき前記画像信号の第１の特徴量を得る画像検出手段と、
前記ドットクロックの位相を変更し、変更したドットクロックを用いて前記サンプリング手段及び画像検出手段を制御する制御手段とを備え、
前記制御手段は、前記第１の特徴量に基づいて、サンプリングに用いた前記ドットクロックの周波数が正しいか否かを判断し、
前記画像検出手段は、隣接画素間の変化量を求める演算手段と、求めた変化量の最大値あるいは最小値を第１の特徴量として検出する最大値／最小値検出手段とを有する画像表示装置のドットクロック調整装置。
【請求項１２】
任意の周波数かつ任意の位相のドットクロックを用いて、入力した画像信号をサンプリングするサンプリング手段と、
所定期間内において、サンプリングした画像信号の隣接画素間の変化量を検出し、検出した変化量に基づき前記画像信号の第１の特徴量を得る画像検出手段と、
前記ドットクロックの位相を変更し、変更したドットクロックを用いて前記サンプリング手段及び画像検出手段を制御する制御手段とを備え、
前記制御手段は、前記第１の特徴量に基づいて、サンプリングに用いた前記ドットクロックの周波数が正しいか否かを判断し、
前記画像検出手段は、隣接画素間の変化量を求める演算手段と、求めた変化量の度数分布を第１の特徴量として検出する度数分布検出手段とを有する画像表示装置のドットクロック調整装置。
【請求項１３】
任意の周波数かつ任意の位相のドットクロックを用いて、入力した画像信号をサンプリングするサンプリング手段と、
所定期間内において、サンプリングした画像信号の隣接画素間の変化量を検出し、検出した変化量に基づき前記画像信号の第１の特徴量を得る画像検出手段と、
前記ドットクロックの位相を変更し、変更したドットクロックを用いて前記サンプリング手段及び画像検出手段を制御する制御手段とを備え、
前記制御手段は、前記第１の特徴量に基づいて、サンプリングに用いた前記ドットクロックの周波数が正しいか否かを判断し、
前記画像検出手段は、隣接画素間の変化量を求める演算手段と、求めた変化量の前記所定期間内における最大値あるいは最小値及び、該最大値付近の度数あるいは最小値付近の度数を第１の特徴量として検出する度数検出手段とを有する画像表示装置のドットクロック調整装置。
【請求項１４】
前記制御手段は、前記第１の特徴量が位相の変化に対して極値を有する場合にドットクロックの周波数が正しいと判断し、前記第１の特徴量が位相の変化に対してほぼ一定値を示す場合にドットクロックの周波数が誤っていると判断する請求項１１記載の画像表示装置のドットクロック調整装置。
【請求項１５】
前記制御手段は、前記度数分布の状態変化が位相の変化に対してあるレベルを超える場合にはドットクロックの周波数が正しいと判断し、前記状態変化が位相の変化に対して前記レベル以下である場合にはドットクロックの周波数が誤っていると判断する請求項１２記載の画像表示装置のドットクロック調整装置。
【請求項１６】
前記制御手段は、前記最大値あるいは最小値と、該最大値付近あるいは最小値付近の度数との比率が位相の変化に対してあるレベルを超えて変化する場合にはドットクロックの周波数が正しいと判断し、前記比率の変化が位相の変化に対して前記レベル以下である場合にはドットクロックの周波数が誤っていると判断する請求項１３記載の画像表示装置のドットクロック調整装置。
【請求項１７】
前記制御手段は、前記第１の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする請求項１１記載の画像表示装置のドットクロック調整装置。
【請求項１８】
任意の周波数かつ任意の位相のドットクロックを用いて、入力した画像信号をサンプリングするサンプリング手段と、
所定期間内において、サンプリングした画像信号の隣接画素間の変化量を検出し、検出した変化量に基づき前記画像信号の第１の特徴量を得る画像検出手段と、
前記ドットクロックの位相を変更し、変更したドットクロックを用いて前記サンプリング手段及び画像検出手段を制御する制御手段とを備え、
前記制御手段は、前記第１の特徴量に基づいて、サンプリングに用いた前記ドットクロックの周波数が正しいか否かを判断し、
前記画像検出手段は、画像信号の特定の位置を指定するアドレス指定手段と、該特定の位置における隣接画素間の変化量を画像信号の第２の特徴量として保持する保持手段とを更に備え、前記制御手段は、第２の特徴量に基づきドットクロックの位相を調整する画像表示装置のドットクロック調整装置。
【請求項１９】
前記特定の位置は、隣接画素間の変化量が最大あるいは最小となる位置である請求項１８記載の画像表示装置のドットクロック調整装置。
【請求項２０】
前記制御手段は、前記第２の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする請求項１８記載の画像表示装置のドットクロック調整装置。
【発明の詳細な説明】
【０００１】
【発明の属する技術分野】
本発明は、液晶パネル、デジタル・マイクロミラー・デバイス（ＤＭＤ）、プラズマ・ディスプレイ・パネル（ＰＤＰ）、あるいはフィールド・エミッション・ディスプレイ（ＦＥＤ）等のマトリクス型表示デバイスを含んで構成される画像表示装置のドットクロック調整方法およびドットクロック調整装置に係わる。
【０００２】
【従来の技術】
図２０は、特開平１１−１７５０３３号公報に開示された従来の液晶表示装置を示す図である。
【０００３】
図において１０１はＡ／Ｄ変換手段、１０２はＰＬＬ手段、１０３はクロック位相自動調整手段、１０４はカウンタ、１０５は画像検出手段、１０６はパルス発生手段、１０７は制御手段である。
【０００４】
次に動作について説明する。入力画像信号はＡ／Ｄ変換手段１０１でデジタルの画像データに変換され、画像検出手段１０５で画像のスタート位置とエンド位置を検出する。制御手段１０７は検出された画像のスタート位置とエンド位置の差分を算出し、算出結果から分周比を求めてＰＬＬ手段１０２でドットクロックを再生する。
【０００５】
次にドットクロックの位相調整を行う。ドットクロックの位相調整は、クロック位相自動調整手段１０３で画像信号とドットクロックの位相を電圧として検出する。この時、検出結果の電圧は位相差が大きいほど高くなる。この電圧が制御手段１０７に送られ、制御手段１０７からＰＬＬ手段１０２でクロックの位相を調整する。クロック位相の調整後に再び画像検出手段から画像のスタート位置を検出する。スタート位置検出結果を制御手段１０７に送り、制御手段１０７はスタート位置からパルス発生手段を制御することで、位置の調整を行う。
【０００６】
以上のように自動サイズ調整、自動クロック位相調整、自動位置調整の順で調整を行うことで、サイズ、クロック位相、位置をすべて自動で調整できる。
【０００７】
また、別の調整方法が特開平１１−１７７８４７号公報に開示されている。これは、隣接する１組または２組以上の画像データ間の差分の絶対値が最大になるようにドットクロックの周波数と位相を調整するものである。
【０００８】
【発明が解決しようとする課題】
従来の画像表示装置の制御方法は、以上のように構成されているので、画像が画面全体、あるいは画面の両端に画像が表示されていないと画像のスタート位置とエンド位置を正しく検出できないため、ドットクロックの周波数が正しく算出できない。
【０００９】
また、正しい周波数のドットクロックでサンプリングした場合と、ずれた周波数のドットクロックでサンプリングした場合の、差分の絶対値の最大値は同じ値になるため、差分の絶対値の最大値からドットクロックの周波数を正しく調整することができない。
【００１０】
例えば、図２１および図２２は画像信号として複数の縦線が等間隔で表示された画像を示す図で、図２１は正しい周波数のドットクロックでサンプリングして表示した場合を示し、図２２はドットクロックの周波数が画像信号の周波数と異なる場合を示している。
【００１１】
図２１における（ａ）と（ｂ）は、同じ周波数のドットクロックで位相が異なる場合を示した図で、位相によって全体的に線が濃くなったり薄くぼやける。図２２（ａ）は、ドットクロックの周波数がずれているため、周期的に濃い線と薄くぼやけた線が表示される。また、図２２（ｂ）のように位相をずらした場合、濃い線と薄い線の周期は同じで、位置が変化する。差分の絶対値の最大値は、濃い線の部分で発生するので、ドットクロックの周波数が正しい場合も、ずれている場合も差分の絶対値の最大値は同じ値となる。したがって、差分の絶対値の最大値からドットクロックの周波数を調整することができない。
【００１２】
本発明は以上のような問題点を解決するためになされたもので、様々なフォーマットの画像信号に対してドットクロックの周波数と位相を正しく自動調整することを目的とする。
【課題を解決するための手段】
【００１３】
本発明に係るドットクロック調整方法は、任意の周波数かつ任意の位相のドットクロックを用いて、画像信号をサンプリングする第１工程と、所定期間内において、サンプリングした画像信号の隣接画素間の変化量を検出し、該検出結果に基づき前記画像信号の第１の特徴量を得る第２工程と、前記第１、第２工程を前記ドットクロックの位相を変えて繰り返す第３工程と、前記第３工程で得られた第１の特徴量に基づき、サンプリングに用いたドットクロックの周波数が正しいか否かを判断する第４工程とを備え、検出した変化量の最大値あるいは最小値を第１の特徴量とする。
【００１４】
本発明に係るドットクロック調整方法は、任意の周波数かつ任意の位相のドットクロックを用いて、画像信号をサンプリングする第１工程と、所定期間内において、サンプリングした画像信号の隣接画素間の変化量を検出し、該検出結果に基づき前記画像信号の第１の特徴量を得る第２工程と、前記第１、第２工程を前記ドットクロックの位相を変えて繰り返す第３工程と、前記第３工程で得られた第１の特徴量に基づき、サンプリングに用いたドットクロックの周波数が正しいか否かを判断する第４工程とを備え、検出した変化量の度数分布を第１の特徴量とする。
【００１５】
本発明に係るドットクロック調整方法は、任意の周波数かつ任意の位相のドットクロックを用いて、画像信号をサンプリングする第１工程と、所定期間内において、サンプリングした画像信号の隣接画素間の変化量を検出し、該検出結果に基づき前記画像信号の第１の特徴量を得る第２工程と、前記第１、第２工程を前記ドットクロックの位相を変えて繰り返す第３工程と、前記第３工程で得られた第１の特徴量に基づき、サンプリングに用いたドットクロックの周波数が正しいか否かを判断する第４工程とを備え、検出した変化量の最大値あるいは最小値と、該最大値付近あるいは最小値付近の度数とを第１の特徴量とする。
【００１６】
本発明に係るドットクロック調整方法は、第１の特徴量が位相の変化に対して極値を有する場合にドットクロックの周波数が正しいと判断し、第１の特徴量が位相の変化に対してほぼ一定値を示す場合にドットクロックの周波数が誤っていると判断する。
【００１７】
本発明に係るドットクロック調整方法は、度数分布の状態変化が位相の変化に対してあるレベルを超える場合にはドットクロックの周波数が正しいと判断し、前記状態変化が位相の変化に対して前記レベル以下である場合にはドットクロックの周波数が誤っていると判断する。
【００１８】
本発明に係るドットクロック調整方法は、前記最大値あるいは最小値と、該最大値付近あるいは最小値付近の度数との比率が位相の変化に対してあるレベルを超えて変化する場合にはドットクロックの周波数が正しいと判断し、前記比率の変化が位相の変化に対して前記レベル以下である場合にはドットクロックの周波数が誤っていると判断する。
【００１９】
本発明に係るドットクロック調整方法は、第１の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする。
【００２０】
本発明に係るドットクロック調整方法は、任意の周波数かつ任意の位相のドットクロックを用いて、画像信号をサンプリングする第１工程と、所定期間内において、サンプリングした画像信号の隣接画素間の変化量を検出し、該検出結果に基づき前記画像信号の第１の特徴量を得る第２工程と、前記第１、第２工程を前記ドットクロックの位相を変えて繰り返す第３工程と、前記第３工程で得られた第１の特徴量に基づき、サンプリングに用いたドットクロックの周波数が正しいか否かを判断する第４工程とを備え、画像信号の特定の位置を指定し、該特定の位置における隣接画素間の変化量を検出し、該検出結果を画像信号の第２の特徴量とする第５工程と、前記第１、第５工程を前記ドットクロックの位相を変えて繰り返す第６工程と、前記第６工程で得られた第２の特徴量に基づき、ドットクロックの位相を調整する第７工程とを更に備える。
【００２１】
本発明に係るドットクロック調整方法は、特定の位置を、隣接画素間の変化量が最大あるいは最小となる位置とした。
【００２２】
本発明に係るドットクロック調整方法は、第２の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする。
【００２３】
本発明に係るドットクロック調整装置における画像検出手段は、任意の周波数かつ任意の位相のドットクロックを用いて、入力した画像信号をサンプリングするサンプリング手段と、所定期間内において、サンプリングした画像信号の隣接画素間の変化量を検出し、検出した変化量に基づき前記画像信号の第１の特徴量を得る画像検出手段と、前記ドットクロックの位相を変更し、変更したドットクロックを用いて前記サンプリング手段及び画像検出手段を制御する制御手段とを備え、前記制御手段は、前記第１の特徴量に基づいて、サンプリングに用いた前記ドットクロックの周波数が正しいか否かを判断し、隣接画素間の変化量を求める演算手段と、求めた変化量の最大値あるいは最小値を第１の特徴量として検出する最大値／最小値検出手段とを有する。
【００２４】
本発明に係るドットクロック調整装置における画像検出手段は、任意の周波数かつ任意の位相のドットクロックを用いて、入力した画像信号をサンプリングするサンプリング手段と、所定期間内において、サンプリングした画像信号の隣接画素間の変化量を検出し、検出した変化量に基づき前記画像信号の第１の特徴量を得る画像検出手段と、前記ドットクロックの位相を変更し、変更したドットクロックを用いて前記サンプリング手段及び画像検出手段を制御する制御手段とを備え、前記制御手段は、前記第１の特徴量に基づいて、サンプリングに用いた前記ドットクロックの周波数が正しいか否かを判断し、隣接画素間の変化量を求める演算手段と、求めた変化量の度数分布を第１の特徴量として検出する度数分布検出手段とを有する。
【００２５】
本発明に係るドットクロック調整装置における画像検出手段は、任意の周波数かつ任意の位相のドットクロックを用いて、入力した画像信号をサンプリングするサンプリング手段と、所定期間内において、サンプリングした画像信号の隣接画素間の変化量を検出し、検出した変化量に基づき前記画像信号の第１の特徴量を得る画像検出手段と、前記ドットクロックの位相を変更し、変更したドットクロックを用いて前記サンプリング手段及び画像検出手段を制御する制御手段とを備え、前記制御手段は、前記第１の特徴量に基づいて、サンプリングに用いた前記ドットクロックの周波数が正しいか否かを判断し、隣接画素間の変化量を求める演算手段と、求めた変化量の前記所定期間内における最大値あるいは最小値及び、該最大値付近の度数あるいは最小値付近の度数を第１の特徴量として検出する度数検出手段とを有する。
【００２６】
本発明に係るドットクロック調整装置における制御手段は、前記第１の特徴量が位相の変化に対して極値を有する場合にドットクロックの周波数が正しいと判断し、前記第１の特徴量が位相の変化に対してほぼ一定値を示す場合にドットクロックの周波数が誤っていると判断する。
【００２７】
本発明に係るドットクロック調整装置における制御手段は、前記度数分布の状態変化が位相の変化に対してあるレベルを超える場合にはドットクロックの周波数が正しいと判断し、前記状態変化が位相の変化に対して前記レベル以下である場合にはドットクロックの周波数が誤っていると判断する。
【００２８】
本発明に係るドットクロック調整装置における制御手段は、前記最大値あるいは最小値と、該最大値付近あるいは最小値付近の度数との比率が位相の変化に対してあるレベルを超えて変化する場合にはドットクロックの周波数が正しいと判断し、前記比率の変化が位相の変化に対して前記レベル以下である場合にはドットクロックの周波数が誤っていると判断する。
【００２９】
本発明に係るドットクロック調整装置における制御手段は、前記第１の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする。
【００３０】
本発明に係るドットクロック調整装置における画像検出手段は、任意の周波数かつ任意の位相のドットクロックを用いて、入力した画像信号をサンプリングするサンプリング手段と、所定期間内において、サンプリングした画像信号の隣接画素間の変化量を検出し、検出した変化量に基づき前記画像信号の第１の特徴量を得る画像検出手段と、前記ドットクロックの位相を変更し、変更したドットクロックを用いて前記サンプリング手段及び画像検出手段を制御する制御手段とを備え、前記制御手段は、前記第１の特徴量に基づいて、サンプリングに用いた前記ドットクロックの周波数が正しいか否かを判断し、画像信号の特定の位置を指定するアドレス指定手段と、該特定の位置における隣接画素間の変化量を画像信号の第２の特徴量として保持する保持手段とを更に備え、前記制御手段は、第２の特徴量に基づきドットクロックの位相を調整する。
【００３１】
本発明に係るドットクロック調整装置は、特定の位置を、隣接画素間の変化量が最大あるいは最小となる位置とする。
【００３２】
本発明に係るドットクロック調整装置における制御手段は、前記第２の特徴量が位相の変化に対して極大値及び２つの極小値或いは極小値及び２つの極大値を有する場合、該２つの極小値或いは２つの極大値にそれぞれ対応する位相の略中間の位相をドットクロックの位相とする。
【００３３】
【発明の実施の形態】
実施の形態１．
本発明の実施の形態について、以下図面を参照しながらより詳細に説明する。図１は、この発明の実施の形態１における画像表示装置を表す図である。図１において１は入力画像信号を所定のドットクロックでサンプリングしてデジタル画像データに変換するＡ／Ｄ変換手段、２は入力同期信号に所定の処理を施す同期信号処理手段、３は同期信号処理手段２が出力する水平同期信号および垂直同期信号を計測する同期信号計測手段、４は同期信号処理手段が出力する水平同期信号から任意の周波数と位相のドットクロックを発生するドットクロック発生手段、５はＡ／Ｄ変換手段１が出力する画像データから所定の画像検出を行う画像検出手段、６は同期信号計測手段３が出力する同期信号の計測結果と画像検出手段５が検出した検出結果からドットクロック発生手段４および後述のタイミング発生手段９を制御する制御手段、７はＡ／Ｄ変換手段１が出力する画像データをドットクロック発生手段４が出力するドットクロックで書き込み、外部から入力される第二クロックに基づきタイミング発生手段９が発生する所定のタイミングで画像データを読み出すラインメモリ、８は所望の信号処理を行う画像信号処理手段、９はタイミング発生手段、１０は例えば、液晶パネル、ＣＲＴ、ＤＭＤ、ＰＤＰ、ＦＥＤ等の表示手段である。
【００３４】
図２は画像検出手段５の詳細を示す図である。図２において１１は時間的に隣接する２画素の画像データ間の変化量として、例えば差分の絶対値（以降、絶対差分と略す）を計算する絶対差分演算器、１２は絶対差分演算器１１で算出した絶対差分から所定の期間（例えば１フレーム、６０Ｈｚにおいては１６.７ｍｓ等）における最大値を検出する最大値検出器である。
【００３５】
次に動作について説明する。本発明の画像表示装置は、制御手段６によってドットクロックの周波数と位相が自動調整される。まず、ドットクロックの周波数の調整動作について説明する。
【００３６】
入力同期信号は同期信号処理手段２に入力され、所定の処理が施される。ここで、所定の処理とは、複合同期信号が入力された場合の水平同期信号と垂直同期信号の分離、同期信号の極性制御、等価パルスなどの不要なパルスの除去、同期信号が欠落した場合の欠落補償等である。同期信号処理手段２は同期信号の計測に必要な処理を施した水平同期信号と垂直同期信号を同期信号計測手段３に出力し、全ての処理を施した水平同期信号と垂直同期信号をドットクロック発生手段４、画像検出手段５、タイミング発生手段９に出力する。
【００３７】
同期信号計測手段３は水平同期信号および垂直同期信号の周期、パルス幅、極性などを計測し、制御手段６に出力する。
【００３８】
制御手段６は、同期信号計測手段３が出力する計測結果から、ドットクロックの周波数を仮決定し、ドットクロック発生手段４が前記仮決定した周波数のドットクロックを発生するように制御する。この時、ドットクロックの周波数の仮決定は、例えばＶＥＳＡ（Video Electronics Standards Association）などに定められた信号フォーマットや既知のフォーマットと比較して、計測結果に一番近い値を選択するように制御する。また、この際のドットクロックの位相は任意の位相で良い。
【００３９】
ドットクロック発生手段４は、制御手段６の制御により仮決定された周波数のドットクロックを発生し、Ａ／Ｄ変換手段１、画像検出手段５、ラインメモリ７に出力する。
【００４０】
Ａ／Ｄ変換手段１は、ドットクロック発生手段４が出力したドットクロックに基づいて入力画像信号をデジタル画像データに変換する。Ａ／Ｄ変換手段１で変換された画像データは画像検出手段５とラインメモリ７に出力され、画像データが所定の順序でラインメモリ７に書き込まれる。
【００４１】
一方、画像検出手段５では、絶対差分演算器１１でＡ／Ｄ変換手段１が出力した画像データから隣接する画素の絶対差分を求める。さらに最大値検出器１２は絶対差分演算器１１で求めた絶対差分から、所定の期間、例えば１フレーム期間における最大値を検出する。最大値検出器１２が検出した絶対差分の最大値は、画像データの第一の特徴量として制御手段６に出力される。
【００４２】
制御手段６は、画像検出手段５から第一の特徴量を受取ると、ドットクロック発生手段４を制御してドットクロックの位相を変更する。
【００４３】
画像検出手段５は、位相を変更したドットクロックでサンプリングされた画像データから上記動作と同様に所定の期間における絶対差分の最大値を検出し、この最大値を第一の特徴量として制御手段６に出力する。
【００４４】
さらに制御手段６は、ドットクロックの位相の変更と第一の特徴量の取得を繰り返すことで、ドットクロックの１周期における各位相の第一の特徴量を取得する。
【００４５】
図３は、第一の特徴量として取得した絶対差分の最大値とドットクロックの位相との関係を示した図である。図３（ａ）は入力画像信号の周波数とサンプリングに用いたドットクロックの周波数が一致する場合（すなわち、仮決定したドットクロックの周波数が正しい場合）を示し、図３（ｂ）は一致しない場合（すなわち、仮決定したドットクロックの周波数が誤っている場合）である。ドットクロックの周波数が一致する場合、図３（ａ）に示したように絶対差分の最大値は、位相に対して極大値、極小値を有するように変化するが、一致しない場合は図３（ｂ）に示したように位相に対してほぼ一定の値を示す。
【００４６】
したがって、制御手段６は画像検出手段５で検出した第一の特徴量である絶対差分の最大値がドットクロックの位相に対して極値を有する場合は、仮決定したドットクロックの周波数を正しい周波数と判断して周波数の調整を完了し、以後の位相調整に用いる。また、ドットクロックの周波数が誤っていると判断される場合は、ドットクロック発生器４が発生するドットクロックの周波数を変更し、変更後の周波数に対して上記処理を再度実行し、画像データの第一の特徴量を検出する。
【００４７】
制御手段６は、ドットクロック周波数が正しいと判断されるまで上記動作を繰り返す。
なお、周波数の変更方法については後述する。
【００４８】
このように画像データの第一の特徴量として絶対差分の最大値を用いることで、ドットクロックの周波数を調整することができる。
【００４９】
次にドットクロックの位相の調整動作について説明する。制御手段６は、周波数調整の際、正しいと判断された周波数において得られた第一の特徴量を画像データの第二の特徴量として用いる。
【００５０】
制御手段６は、第二の特徴量である絶対差分が最大を示した位相を正しい位相と判断し、ドットクロック発生手段４を制御することで、ドットクロックの位相を調整する。
なお、本実施の形態では差分値の絶対値を指標として採用しているため、第二の特徴量が最大を示した位相を正しい位相と判断している。しかし、絶対値を採用しない場合には、図３の極性が反転することも有り得るから、この場合には第二の特徴量が最小を示した位相を正しい位相と判断し、ドットクロックの位相を調整するように構成することが必要である。この場合、最大、最小のいずれを選択するかは、図３に示したグラフの形状から判断することになる。
【００５１】
ドットクロックの周波数と位相が調整されたドットクロックに基づいてＡ／Ｄ変換手段１でサンプリングされた画像データは、所定の順番でラインメモリ７に記憶される。ラインメモリ７に書き込まれた画像データは、タイミング発生手段９が出力する所定のタイミングで読み出され、画像信号処理手段８に出力される。
【００５２】
画像信号処理手段８では、例えば画像の拡大や縮小、明るさやコントラストの調整、輪郭強調やノイズ除去、ガンマ変換や色相変換など、所望の処理が施される。
【００５３】
画像信号処理手段８で処理された画像データは表示手段１０に出力され、表示手段１０はタイミング発生手段９が発生するタイミングで画像データを表示する。
【００５４】
図４は、本実施の形態の周波数及び位相調整におけるフローチャートを示している。まず、入力された同期信号からドットクロックの周波数を仮決定する。仮決定するドットクロックの周波数に同期信号を用いるのは周波数調整にかかる時間をできるだけ短縮するためであるが、基本的には任意の周波数に設定しても若干調整時間がのびるだけなのでそれでも良い。その後ドットクロック発生手段４によりドットクロックを発生し、Ａ／Ｄ変換手段１により画像信号はデジタル画像データにサンプリングされる。そして画像検出手段５によって、ある期間における隣接画素の絶対差分中の最大値を第一の特徴量として求め、制御手段６においてドットクロックの位相を変更する。ドットクロック仮決定後のここまでの工程を位相を所定間隔で変更しつつ一周期分繰返す。得られた結果に基づき制御手段６は仮決定した周波数の正誤を判断し、正しい場合には次段の位相調整の工程に進み、一方、誤っている場合には、ドットクロックの周波数を制御手段６にて変更し、ドットクロック発生手段４にフィードバックし、さらに上述の工程を繰返す。周波数の変更方法としては、例えば仮決定した周波数に対して、まず周波数を上げる方向（＋）にある任意のステップ（ｎ）分周波数をずらし、上記ドットクロック発生手段４にフィードバックする。それでも周波数が誤っている場合には、周波数を下げる方向（−）にステップ（ｎ）分周波数をずらし、上記ドットクロック発生手段４にフィードバックする。以後±２ｎ、±３ｎと変更を繰り返すことで正しいと判断されるまで同様の工程を繰返す。また上記ステップの幅は、設計思想に応じて任意に設定可能である。図４においてｆinは入力画像の周波数を示し、ｆdclkはサンプリングに用いたドットクロックの周波数を示している。周波数の調整後、調整された周波数における絶対差分の最大値を第二の特徴量として、制御手段６により各位相における絶対差分最大値のうち最も大きい値を示した位相を正しい位相として選択し、ドットクロック発生手段４にて調整された周波数及び位相のドットクロックを発生する。その後、画像信号は、Ａ／Ｄ変換手段１においてデジタル画像データにサンプリングされ、ラインメモリ７に出力される。
【００５５】
以上の動作により、ドットクロックの周波数と位相を調整することで、画像が画面全体に表示されていない場合であっても、ドットクロックの周波数と位相を自動調整して画像を表示することができる。
【００５６】
なお、上記動作の説明では、ドットクロックの位相調整の際に、絶対差分が最大（或いは差分値等の設定により上下反転している場合は最小）を示す位相を選択する場合について説明したが、図３（ａ）に示したように２つの極小値（或いは差分値等の設定により上下反転している場合は２つの極大値）を示す位相の略中間の位相を選択するように制御しても良い。
【００５７】
また、上記動作の説明では、ドットクロックの周波数調整の際に、正しい周波数が検出されるまで、ドットクロックの周波数を変更して第一の特徴量を検出する場合について示したが、所定の回数だけ周波数を変更しても正しい周波数が検出できない場合は、調整動作を停止しても良い。
【００５８】
さらに、自動調整できなかった場合は、自動調整できなかったことを示す表示を行って、画像信号を変更して再び自動調整させるか、手動による調整を促しても良い。
【００５９】
実施の形態２．
実施の形態１においては、ドットクロックの位相調整に用いる画像データの第二の特徴量として、最後に検出した第一の特徴量を用いる場合について説明したが、第二の特徴量として別の検出結果を用いるように構成しても良い。
【００６０】
図５は、本発明の実施の形態２における画像検出手段５の別の構成を示す図である。その他の構成は図１と同様である。図５において、１３は画像データの特定の位置を指定できるアドレス指定器、１４は絶対差分演算器１１が出力する絶対差分からアドレス指定器１３が指定する位置の絶対差分を保持する絶対差分保持器である。
【００６１】
次に実施の形態２におけるドットクロック調整装置の動作について説明するが、ドットクロックの位相調整動作以外は、実施の形態１の動作と同様であるので、詳細な動作の説明は省略する。以下、実施の形態２におけるドットクロックの位相調整動作について説明する。
【００６２】
絶対差分演算器１１には周波数調整が為された正しい周波数のドットクロックでサンプリングされた画像データが入力される。絶対差分演算器１１は入力された画像データから隣接する画素の絶対差分を求め、最大値検出器１２と絶対差分保持器１４に出力する。
【００６３】
絶対差分保持器１４はアドレス指定器１３で指定した位置における絶対差分を保持し、画像データの第二の特徴量として、制御手段６に出力する。
【００６４】
制御手段６は、ある位相における第二の特徴量を受取ると、ドットクロック発生手段４を制御してドットクロックの位相を変更する。
【００６５】
画像検出手段５は、位相を変更したドットクロックでサンプリングされた画像データから上記動作と同様にアドレス指定器１３が指定した位置の絶対差分を第二の特徴量として保持して制御手段６に出力する。この時、アドレス指定器１３が指定する画像データの特定の位置は、最初に第二の特徴量の検出に用いた位置と同一である。
【００６６】
さらに制御手段６はドットクロックの位相の変更と第二の特徴量の取得を繰り返すことで、ドットクロックの１周期における各位相の第二の特徴量を取得する。取得した第二の特徴量（絶対差分）とドットクロックの位相との関係を図７に示す。
【００６７】
図６は、本実施の形態の位相調整におけるフローチャートを示している。まず、ドットクロック発生手段４により調整された周波数を発生する。その後、画像信号は、Ａ／Ｄ変換手段１においてデジタル画像データにサンプリングされ、画像検出手段５において、アドレス指定器１３が指定する特定のアドレス位置における絶対差分を第二の特徴量として取得する。そして制御手段６においてドットクロックの位相を変更する。ドットクロック発生以後のここまでの工程をドットクロックの一周期分繰返す。得られた結果（図７参照）に基づき、制御手段６は、第二の特徴量である絶対差分が最大となるドットクロックの位相を選択し、ドットクロック発生手段４にて調整された位相のドットクロックを発生する。その後、Ａ／Ｄ変換手段１においてデジタル画像データにサンプリングされ、ラインメモリ７に出力される。
【００６８】
図７は、絶対差分保持器１４が出力する画像データの特定の位置における絶対差分（第二の特徴量）とドットクロックの位相との関係を示す図である。ドットクロックの位相が正しい場合には第二の特徴量が最大を示すので、最大を示す位相を正しい位相として選択する。
なお、本実施の形態では差分値の絶対値を指標としているため、第二の特徴量が最大を示した位相を正しい位相と判断している。しかし、絶対値を採用しない場合には、図７の極性が反転することも有り得るから、この場合には第二の特徴量が最小を示した位相を正しい位相と判断し、ドットクロックの位相を調整するように構成することが必要である。この場合、最大、最小のいずれを選択するかは、図７に示すグラフの形状から判断することになる。
【００６９】
したがって、制御手段６は絶対差分が最も大きい値を示した位相を選択することで、ドットクロックの位相を調整することができる。
【００７０】
上記動作の説明では、ドットクロックの位相として第二の特徴量が最大（或いは差分値等の設定により上下反転している場合は最小）を示す位相を選択する場合について説明したが、２つの極小値（或いは差分値等の設定により上下反転している場合は２つの極大値）を示した位相の略中間を選択するように構成しても良い。
【００７１】
以上の動作により、ドットクロックの位相を調整することで、画像が画面全体に表示されていない場合であっても、ドットクロックの位相を自動調整して画像を表示することができる。さらに、上述した実施の形態１では、ドットクロックのジッタや画像信号のノイズにより絶対差分の最大値を示すアドレスは理想状態からわずかに移動してしまうため、絶対差分と位相との関係が理想形態から崩れてしまい、極値の判別が難しくなるケースがある（特に画像が文字などの情報を含まない場合、例えば写真などでは差分自体が小さくなるため判別が困難になる。）が、本実施の形態のように差分をとる位置を固定することにより、決まった画素における絶対差分と位相との関係を得ることができるので、クロックのジッタや画像信号のノイズによるアドレスの移動がなくなり、より正確な位相の選択を行うことが可能となる効果もある。
【００７２】
実施の形態３．
実施の形態２においては、ドットクロックの位相調整に用いる画像データの第二の特徴量として、絶対差分を保持する際にアドレス指定器１３を用いて画像データの特定の位置を指定する場合について説明したが、絶対差分を保持する画像データの位置を、ある位相（例えば最初に設定した位相）のドットクロックで絶対差分が最大を示した位置に固定するようにしても良い。
【００７３】
図８はこの発明の実施の形態３における画像検出手段５の詳細を示す図である。その他の構成は図１と同様である。図において１５は最大値検出器、１６はアドレス保持器である。
【００７４】
以下、実施の形態３におけるドットクロックの位相調整動作について説明する。なお、ドットクロックの位相調整動作以外は、実施の形態１と同様であるので、詳細な動作の説明は省略する。
【００７５】
絶対差分演算器１１は、入力された画像データのうち隣接する画素の絶対差分を求めて、最大値検出器１５と絶対差分保持器１４に出力する。
【００７６】
最大値検出器１５は、所定の期間、例えば１フレーム期間における絶対差分中の最大値を検出し、検出結果を第一の特徴量として制御手段６に出力すると同時に、最大値を検出した画像データの位置をアドレス保持器１６に出力する。
【００７７】
アドレス保持器１６は、最大値検出器１５が出力した画像データの位置を保持し、絶対差分保持器１４に出力する。
【００７８】
絶対差分保持器１４はアドレス保持器１６が出力する画像データの位置における絶対差分演算器１１の出力を保持し、該出力を画像データの第二の特徴量として、制御手段６に出力する。
【００７９】
制御手段６は、第二の特徴量を受取ると、ドットクロック発生手段４を制御してドットクロックの位相を変更する。
【００８０】
画像検出手段５は、位相を変更したドットクロックでサンプリングされた画像データから上記動作と同様の処理を行い、アドレス保持器１６に保持された位置における絶対差分演算器１１の出力を第二の特徴量として制御手段６に出力する。
【００８１】
さらに制御手段６はドットクロックの位相の変更と第二の特徴量の取得を繰り返すことで、ドットクロックの１周期における各位相の第二の特徴量を取得する。
【００８２】
図９は、本実施の形態の位相調整におけるフローチャートを示している。ドットクロック発生手段４は周波数調整された正しい周波数のドットクロックを発生するものとする。画像信号はＡ／Ｄ変換手段１においてかかるドットクロックを用いてデジタル画像データにサンプリングされる。デジタル画像データは、絶対差分演算器１１において隣接画素間の絶対差分を求められ、最大値検出器１５において所定の期間、例えば１フレーム期間における絶対差分の最大値を第一の特徴量として抽出する。さらに最大値検出器１５は、絶対差分の最大値を検出したアドレスをアドレス保持器１６に送り、絶対差分保持器１４はこのアドレスに対応する位置における絶対差分演算器１１の出力を第二の特徴量として抽出する。そして制御手段６においてドットクロックの位相を変更する。ドットクロック発生以後のここまでの工程をドットクロック一周期分繰返す。制御手段６は、得られた結果に基づき、第二の特徴量である絶対差分が最大となるドットクロックの位相を正しい位相と判断して選択し、ドットクロック発生手段４にて調整された位相のドットクロックを発生する。その後、画像信号は、Ａ／Ｄ変換手段１においてデジタル画像データにサンプリングされ、ラインメモリ７に出力される。
【００８３】
図７は、絶対差分保持器１４が出力する画像データの位置における絶対差分（第二の特徴量）とドットクロックの位相との関係の一例を示す図である。ドットクロックの周波数が画像信号の周波数に合っている場合には、図に示すように位相の変化に対して絶対差分（第二の特徴量）が極値を持つように変化する。そこで、実施の形態２において説明したのと同様、第二の特徴量が最大となる位相をドットクロックの正しい位相であると判断する。
【００８４】
このように、制御手段６は画像データの特定の位置における絶対差分値が位相の変化に対して最も大きい値を示した位相を選択することで、ドットクロックの位相を調整することができる。
なお、本実施の形態では差分値の絶対値を指標として採用しているため、第二の特徴量が最大を示した位相を正しい位相と判断している。しかし、絶対値を採用しない場合には、図７の極性が反転することも有り得るから、この場合には第二の特徴量が最小を示した位相を正しい位相と判断し、ドットクロックの位相を調整するように構成することが必要である。この場合、最大、最小のいずれを選択するかは、図７に示すグラフの形状から判断することになる。
【００８５】
上記動作の説明では、ドットクロックの位相として第二の特徴量が最大（或いは差分値等の設定により上下反転している場合は最小）を示す位相を選択する場合について説明したが、２つの極小値（或いは差分値等の設定により上下反転している場合は２つの極大値）を示した位相の略中間を選択するように構成しても良い。
【００８６】
以上の動作により、ドットクロックの位相を調整することで、画像が画面全体に表示されていない場合であっても、ドットクロックの位相を自動調整して画像を表示することができる。さらに本実施の形態のようにある位相のドットクロックで絶対差分が最大を示した位置をドットクロックの１周期の間保持し、その位置の絶対差分を取得するようにすることで、実施の形態２で説明したのと同様の効果が得られるとともに、回路を簡略化することも可能になる効果がある。
【００８７】
実施の形態４．
実施の形態１においては、ドットクロックの周波数調整に用いる画像データの第一の特徴量として、１フレーム期間の画像データの隣接する画素の絶対差分の最大値を用いたが、１フレーム期間における画像データの隣接画素の絶対差分の度数分布を用いるように構成しても良い。
【００８８】
図１０は、実施の形態４における画像検出手段５の詳細を示す図である。その他の構成は図１と同様であるので説明は省略する。図において１７は度数分布検出器である。
【００８９】
以下、実施の形態４におけるドットクロックの周波数調整動作について説明する。なお、ドットクロックの周波数調整動作以外、すなわち、位相調整動作は、上記実施の形態３と同様であるので、詳細な説明については省略する。
【００９０】
まず、仮決定された周波数のドットクロックでサンプリングされた画像データがＡ／Ｄ変換器１から出力される。この時のドットクロックの位相は任意で良い。Ａ／Ｄ変換器１から出力された画像データは、絶対差分演算器１１に入力され、入力された画像データの隣接画素の絶対差分が求められる。
【００９１】
絶対差分演算器１１で求められた絶対差分は、度数分布検出器１７、最大値検出器１５、絶対差分保持器１４に入力される。
【００９２】
度数分布検出器１７は、入力された絶対差分から所定の期間、例えば１フレーム期間における度数分布を検出し、これを第一の特徴量として制御手段６に出力する。
【００９３】
制御手段６は、画像検出手段５から第一の特徴量を受取ると、ドットクロック発生手段４を制御してドットクロックの位相を変更する。
【００９４】
画像検出手段５は、位相を変更したドットクロックでサンプリングされた画像データから上記動作と同様に１フレーム期間の絶対差分の度数分布を検出し、第一の特徴量として制御手段６に出力する。
【００９５】
さらに制御手段６は、ドットクロックの位相の変更と第一の特徴量の取得を繰り返すことで、ドットクロックの１周期間における各位相の第一の特徴量を取得する。
【００９６】
図１１は、本実施の形態の周波数及び位相調整におけるフローチャートを示している。まず、入力された同期信号からドットクロックの周波数を仮決定する。この時、クロックの位相は任意のものでよい。そして、ドットクロック発生手段４により発生したドットクロックを用いることで、画像信号は、Ａ／Ｄ変換手段１によりデジタル画像データにサンプリングされる。さらに、画像検出手段５において、１フレーム期間における隣接画素の絶対差分から度数分布を第一の特徴量として算出し、制御手段６においてドットクロックの位相を変更する。ドットクロックの周波数の仮決定後のここまでの工程を位相を変更しつつ一周期分繰返す。得られた度数分布を指標としてドットクロックの周波数の正誤を以下に説明するようにして判断する。
周波数が正しいと判断した場合には、位相調整の工程に進み、誤っていると判断した場合には、ドットクロックの周波数を制御手段６にて変更し、ドットクロック発生手段４にフィードバックし、さらに上述の工程を繰返す。周波数の変更方法としては様々、考えられるが、例えば、仮決定した上述の周波数に対して、まず周波数を上げる方向（＋）にある任意のステップ（ｎ）分周波数をずらし、上記ドットクロック発生手段４にフィードバックする。それでもまだ周波数が誤っている場合には、逆に周波数を下げる方向（−）にステップ（ｎ）分周波数をずらし、上記ドットクロック発生手段４にフィードバックする。以後、周波数が正しいと判断されるまで、±２ｎ、±３ｎと周波数をずらしながら調整を行う。上記ステップ（ｎ）は、装置の設計に応じて任意に設定可能である。
なお、図１１においてｆinは入力画像の周波数を示し、ｆdclkはサンプリングに用いたドットクロックの周波数を示す。
周波数の調整後、位相の調整を行う。調整は実施の形態３と同様であり、調整された周波数における絶対差分の最大値を第二の特徴量として、制御手段６により各位相における絶対差分最大値のうち最も大きい値を示した位相を選択するようにしている。詳細については実施の形態３を参照されたい。
【００９７】
図１２及び図１３に基づき周波数の正誤判断手法について説明を行う。図１２および図１３は、画像検出手段５で、例えば図２１に示したような縦縞の画像における絶対差分の度数分布を検出した結果の例を示した図である。サンプリングに用いたドットクロックの周波数と画像のドットクロック周波数が一致する（つまり、ドットクロックの周波数が正しい）場合、サンプリングに用いるドットクロックの位相を変化させることで、図１２（ａ）と図１２（ｂ）に示したような度数分布、および図１２（ａ）と図１２（ｂ）の中間の度数分布が位相の変更に伴い順次検出される。
【００９８】
一方、サンプリングに用いたドットクロックの周波数と画像信号のドットクロックの周波数が一致しない（つまり、ドットクロックの周波数が誤っている）場合は、図１３に示したように絶対差分の最大値は図１２（ａ）と同様であるが、度数が少ない結果となる。さらに、位相を変更しても度数分布にはほとんど変化が見られない。よって、制御手段６は、画像データの第一の特徴量として取得した度数分布が位相の変化に対してあるレベルを超えて変化する場合には、ドットクロックの周波数が正しいと判断し、前記レベル以下である場合にはドットクロックの周波数が誤っていると判定する。ここで上述のあるレベルとは、表示装置自体の仕様により或いはＡ／Ｄ変換手段の特性及び周辺回路の特性等により、設計的に適宜設定する。尚、図１２及び図１３において、差分値の設定の仕方等（例えば、絶対値をとる場合ととらない場合等）により図１２及び図１３の度数あるいは度数分布が変化する場合も想到されるが、このような場合においても設計段階で、レベルを適宜設定すれば、周波数の正誤を判断することができる。
【００９９】
制御手段６は、ドットクロックの周波数が正しい場合は、仮決定したドットクロックの周波数を用いて、以降の位相調整動作を実施し、ドットクロックの周波数が正しくないと判断される場合は、ドットクロック発生手段４を制御してドットクロックの周波数を変更して、再度、画像データの第一の特徴量を取得する。
【０１００】
以上の動作をドットクロックの周波数が正しいと判断されるまで繰り返すことで、画面全体に画像が表示されていない場合であっても、ドットクロックの周波数を調整することができる。
【０１０１】
なお、上記動作の説明では、ドットクロックの周波数が正しいと判断されるまで調整動作を繰り返す場合について説明したが、所定の回数だけ周波数を変更しても正しい周波数が検出できない場合は、調整動作を停止しても良い。
【０１０２】
さらに、自動調整できなかった場合は、自動調整できなかったことを示す表示を行って、画像信号を変更して再び自動調整させるか、手動による調整を促しても良い。
【０１０３】
また、画像データの第一の特徴量として絶対差分の度数分布を用いた場合には、ドットクロックの周波数の正誤を、実施の形態１乃至３に比べて少ない数の位相で検出できるため、ドットクロックの周波数の調整動作を高速化することができる。
【０１０４】
また、画像データの第一の特徴量として絶対差分の度数分布と絶対差分の最大値を併用することで、調整の精度を上げるように構成しても良い。
【０１０５】
実施の形態５．
また、上記動作の説明では、ドットクロックの周波数調整に用いる画像データの第一の特徴量として、１フレーム期間における絶対差分の度数分布を用いる場合について説明したが、絶対差分の最大値付近の度数を用いても良い。
【０１０６】
図１４は、画像検出手段５が画像データの第一の特徴量として所定の期間における絶対差分の最大値付近の度数を検出する場合の構成を示した図である。図１４において、１８は度数検出器である。なお、その他の構成は図１と同様である。
【０１０７】
度数検出器１８は、所定の期間、例えば１フレーム期間における絶対差分の度数分布を検出し、該分布に基づき絶対差分の最大値と、最大値付近の度数の合計値を第一の特徴量として保持する。
【０１０８】
図１５は、ドットクロックの位相を変更しつつ取得した第一の特徴量である絶対差分の最大値と最大値付近の度数の合計との間の関係を示したものである。
【０１０９】
図１５（ａ）は、例えば図２１に示したような縦縞の画像における絶対差分の度数を検出した結果の例を示した図である。同図では、サンプリングに用いたドットクロックの周波数と画像信号のドットクロック周波数が一致（つまり、ドットクロックの周波数が正しい）しており、この場合、ドットクロックの位相を変化させると、絶対差分の最大値と最大値付近の度数との比率は図１５（ａ）に示したように位相の変化につれて変化する。一方、サンプリングに用いたドットクロックの周波数と画像信号のドットクロックの周波数が一致しない（つまり、ドットクロックの周波数が誤っている）場合には、図１５（ｂ）に示すように絶対差分の最大値付近の度数が少なく、かつ度数と最大値の比率は位相の変化に対してほとんど変化せず、ほぼ一定の値となる。
【０１１０】
従って、制御手段６は、画像データの第一の特徴量としての絶対差分の最大値と該最大値付近の度数との比率が位相の変化に対してあるレベルを超えて変化する場合には、ドットクロックの周波数が正しいと判断し、前記レベル以下である場合にはドットクロックの周波数が誤っていると判断する。ここで、あるレベルは、表示装置自体の仕様により或いはＡ／Ｄ変換手段の特性及び周辺回路の特性等により、設計段階において適宜設定されるものである。尚、図１５において、差分値の設定の仕方等（差分値の絶対値をとるか、とらないか等）により図１５における比率の変化の勾配等が変化する場合も想定されるが、このような場合においても、設計段階で、レベルを適宜設定することによって、この判定方法を適用することは可能である。
【０１１１】
実施の形態６．
上述した実施の形態１においては、周波数の絶対差分の最大値と位相との間の関係を用いてドットクロックの周波数調整及び位相調整を行い、実施の形態２においては、周波数調整については実施の形態１と同様で、位相調整については予め設定した特定のアドレス位置における絶対差分と位相との関係を用い、実施の形態３においては、周波数調整については実施の形態１と同様で、位相調整については、ある位相における絶対差分の最大値を示す位置のアドレスを固定位置として、各位相について当該位置における絶対差分と位相との関係を位相調整に用い、実施の形態４あるいは５においては、位相調整については実施の形態３と同様としつつ、周波数調整を変更して絶対差分の度数分布或いは絶対差分の最大値付近の度数を用いた場合を説明したが、周波数調整と位相調整についての組み合わせはこれに限られることなく、すべての組み合わせを考えることができる。以下、簡単にその組み合わせを説明する。
【０１１２】
図１６は、本実施の形態における画像検出手段５を示す図である。実施の形態１乃至５と同じ構成部分については同一符号を付しており、詳細な説明については省略する。図１６は、実施の形態４における周波数調整方法と、実施の形態１における位相調整方法とを組み合わせたものである。このような構成とすることによっても、上述した実施の形態と同様の効果を得ることができる。
【０１１３】
図１７は、本実施の形態における画像検出手段５の他の例の詳細を示す図である。実施の形態１乃至５と同じ構成部分については同一符号を付しており、詳細な説明については省略する。図１７は、実施の形態４における周波数調整方法と、実施の形態２における位相調整方法とを組み合わせたものである。このような構成とすることによっても、上述した実施の形態と同様の効果を得ることができる。
【０１１４】
図１８は、本実施の形態における画像検出手段５の他の例の詳細を示す図である。実施の形態１乃至５と同じ構成部分については同一符号を付しており、詳細な説明については省略する。図１８は、実施の形態５における周波数調整方法と実施の形態１における位相調整方法とを組み合わせたものである。このような構成とすることによっても上述した実施の形態と同様の効果を得ることができる。
【０１１５】
図１９は、本実施の形態における画像検出手段５の他の例の詳細を示す図である。実施の形態１乃至５と同じ構成部分については同一符号を付しており、詳細な説明については省略する。図１９は、実施の形態５における周波数調整方法と、実施の形態２における位相調整方法とを組み合わせたものである。このような構成とすることによっても上述した実施の形態と同様の効果を得ることができる。
【０１１６】
以上、本発明を上記第１〜第６の実施の形態に基づいて説明したが、本発明は上記第１〜第６の発明の実施の形態に限定されるものでは無く、その要旨を逸脱しない範囲において種々変更可能であるのは勿論である。
【発明の効果】
【０１１７】
本発明は、以上説明したように構成されているので、以下に示すような効果を奏する。
【０１１８】
本発明に係るドットクロック調整方法、及び装置によれば、画像が画面全体に表示されていない場合や、規格以外のフォーマットの信号であっても、ドットクロックの周波数を調整することができる。
【０１１９】
また、本発明に係るドットクロック調整方法、及び装置によれば、変化量をとる位置を固定することにより、決まった画素における変化量と位相との関係を得ることができるので、クロックのジッタや画像信号のノイズによるアドレスの移動がなくなり、より正確な位相の選択を行うことが可能となる。
【０１２０】
また、本発明に係るドットクロック調整方法、及び装置によれば、上記効果に加えて、位相と変化量との関係において極大値と極小値がより明瞭に識別可能となり、より正確に位相の選択を行えるようになる。
【０１２１】
また、本発明に係るドットクロック調整方法、及び装置によれば、画像が画面全体に表示されていない場合や、規格以外のフォーマットの信号であっても、ドットクロックの周波数調整を高速に処理することができる効果が得られる。
【０１２２】
さらに、本発明に係るドットクロック調整方法、及び装置によれば、画像が画面全体に表示されていない場合や、規格以外のフォーマットの信号であっても、ドットクロックの周波数調整を高速に処理することが可能となるとともに、装置を簡略化できる。
【０１２３】
さらに、本発明に係るドットクロック調整方法、及び装置によれば、周波数の調整に使用した第１の特徴量と位相との関係をそのまま使用してドットクロックの正しい位相を得ることができるので装置を簡略化できる効果がある。
【図面の簡単な説明】
【０１２４】
【図１】  本発明の実施の形態１における画像表示装置を示す図である。
【図２】  本発明の実施の形態１における画像検出手段を示す図である。
【図３】  本発明の実施の形態１における検出結果の一例を示す図である。
【図４】  本発明の実施の形態１におけるフローチャートである。
【図５】  本発明の実施の形態２における画像検出手段を示す図である。
【図６】  本発明の実施の形態２におけるフローチャートである。
【図７】  本発明の実施の形態２における検出結果の一例を示す図である。
【図８】  本発明の実施の形態３における画像検出手段を示す図である。
【図９】  本発明の実施の形態３におけるフローチャートである。
【図１０】  本発明の実施の形態４における画像検出手段を示す図である。
【図１１】  本発明の実施の形態４におけるフローチャートである。
【図１２】  本発明の実施の形態４における検出結果の一例を示す図である。
【図１３】  本発明の実施の形態４における検出結果の一例を示す図である。
【図１４】  本発明の実施の形態５における画像検出手段の他の構成を示す図である。
【図１５】  本発明の実施の形態５における検出結果の一例を示す図である。
【図１６】  本発明の実施の形態６における画像検出手段の他の構成を示す図である。
【図１７】  本発明の実施の形態６における画像検出手段の他の構成を示す図である。
【図１８】  本発明の実施の形態６における画像検出手段の他の構成を示す図である。
【図１９】  本発明の実施の形態６における画像検出手段の他の構成を示す図である。
【図２０】  従来の画像表示装置を示す図である。
【図２１】  画像信号を表示した際の一例を示す図である。
【図２２】  画像信号を表示した際の一例を示す図である。
【符号の説明】
【０１２５】
１  Ａ／Ｄ変換手段、２  同期信号処理手段、３  同期信号計測手段、４  ドットクロック発生手段、５  画像検出手段、６  制御手段、７  ラインメモリ、８  画像処理手段、９  タイミング発生手段、１０  表示手段、  １１  絶対差分検出器、１２  最大値検出器、１３  アドレス指定器、１４  絶対差分保持器、１５  最大値検出器、１６  アドレス保持器、１７  度数分布検出器、１８  度数検出器、１０１  Ａ／Ｄ変換手段、１０２  ＰＬＬ手段、１０３  クロック位相自動調整手段、１０４  カウンタ、１０５  画像検出手段、１０６  パルス発生手段、１０７  制御手段。
【図１】
0004154820.tif 000002
【図２】
0004154820.tif 000003
【図３】
0004154820.tif 000004
【図４】
0004154820.tif 000005
【図５】
0004154820.tif 000006
【図６】
0004154820.tif 000007
【図７】
0004154820.tif 000008
【図８】
0004154820.tif 000009
【図９】
0004154820.tif 000010
【図１０】
0004154820.tif 000011
【図１１】
0004154820.tif 000012
【図１２】
0004154820.tif 000013
【図１３】
0004154820.tif 000014
【図１４】
0004154820.tif 000015
【図１５】
0004154820.tif 000016
【図１６】
0004154820.tif 000017
【図１７】
0004154820.tif 000018
【図１８】
0004154820.tif 000019
【図１９】
0004154820.tif 000020
【図２０】
0004154820.tif 000021
【図２１】
0004154820.tif 000022
【図２２】
0004154820.tif 000023